(57)【要約】【課題】本発明は、可動収納部をキッチンキャビネット内に体裁よく収納しうると共に、少ない手順で可動収納部を手前に展開し、楽な姿勢で収納物を出し入れできるキッチンキャビネットを提供することを目的とする。【解決手段】本発明は、シンクとコンロとを備えるワークトップと、このワークトップの下に引き出しや開き戸を備えるキッチンキャビネットにおいて、前記キッチンキャビネットの幅方向の何れか一方に前記シンクが、他方に前記コンロが配置され、前記シンク又はコンロよりも前記キッチンキャビネットの側面側の収納部スペースに、前記キッチンキャビネットの前方側上方へ回動する収納部を有するキッチンキャビネットである。【選択図】図１
2009011635.tif 000002
【特許請求の範囲】
【請求項１】
シンクとコンロとを備えるワークトップと、
このワークトップの下に引き出しや開き戸を備えるキッチンキャビネットにおいて、
前記キッチンキャビネットの幅方向の何れか一方に前記シンクが、他方に前記コンロが配置され、
前記シンク又はコンロよりも前記キッチンキャビネットの側面側に設けられた収納部スペースに、
前記キッチンキャビネットの前方側上方へ回動する収納部を有するキッチンキャビネット。
【請求項２】
請求項１において、
キッチンキャビネットが、キッチンの壁に面する側面を有し、
回動する収納部が、前記キッチンキャビネットの前記側面側に設けられた収納部スペースに備えられたキッチンキャビネット。
【請求項３】
請求項１又は２において、
キッチンキャビネットが、キッチンとこれに隣接する居室との通路に面した側面、または、前記通路との間の壁や腰壁に面した側面を有し、
回動する収納部が、前記キッチンキャビネットの幅方向において、前記通路とは反対側の側面側に設けられた収納部スペースに備えられたキッチンキャビネット。
【請求項４】
請求項１〜３の何れかにおいて、
回動する収納部が、前板と棚板と背板と落下防止部材とを備え、
前記棚板が、水平状態を維持したまま、回動するキッチンキャビネット。
【請求項５】
請求項１〜４の何れかにおいて、
回動する収納部に設けられた落下防止部材の上端が、前記棚板の上面よりも上方に位置するように設けられたキッチンキャビネット。
【請求項６】
請求項１〜５の何れかにおいて、
棚板と落下防止部材とが一体成形されており、前方から見た断面が凹状とされたキッチンキャビネット。
【請求項７】
請求項１〜６の何れかにおいて、
棚板が複数設けられ、
収納部が前方側上方へ回動した状態では、
前記複数の棚板のうち、最も上方に位置する棚板の上面が、ワークトップと同等以上の高さとなるキッチンキャビネット。
【発明の詳細な説明】
【技術分野】
【０００１】
本発明は、可動収納部を持つキッチンキャビネットに関するものであり、特には出し入れし易い回動式の収納部を有するキッチンキャビネットに関するものである。
【背景技術】
【０００２】
キッチンキャビネットにおいては、調理や洗い物などの作業に必要な調味料や器具などを、できるだけ近い位置に収納しておき、楽な姿勢で、少ない動作で出し入れしたいという要望がある。このような要望に応え、収納物を出し入れする際の負担を軽減するキッチンキャビネットとしては、調味料や器具などを収納する収納部を可動とした可動収納部を持つものが提案されている。
【０００３】
このようなキッチンキャビネットとしては、図５に示すように、キッチンキャビネットの外側面が開放する凹部を設け、この凹部内に、ワークトップの側端上方まで移動する可動収納部を設けたものがある（特許文献１）。
【０００４】
また、図６に示すように、キッチンキャビネットの側面に隣接する腰壁の内部に、昇降する可動収納部を設けたものがある（特許文献２）。
【特許文献１】特開２００５−２５３９４８号公報
【特許文献２】実開平５−９１４４５号公報
【発明の開示】
【発明が解決しようとする課題】
【０００５】
しかしながら、特許文献１に記載のキッチンキャビネットは、可動収納部がキッチンキャビネットの外側面側から出し入れされるものであるため、その設置場所は壁に面しない開放側（通路側）のキッチンキャビネット外側面に限られ、壁側には設置できないことや、キッチンキャビネット両側面が壁に面するキッチンにはそもそも設置できないという問題がある。また、可動収納部を、壁に面しない開放側（通路側）のキッチンキャビネット外側面に設けたとしても、この開放側はキッチンとリビングとを行き来する通路として用いられることが多く、人が行き来する際は、邪魔になる問題がある。
【０００６】
また、特許文献２に記載の腰壁に内蔵された可動式収納部は、キッチンキャビネット両側面の何れかに、腰壁を有しない場合、例えば、キッチンキャビネットの両側面が開放したアイランド型キッチンや、キッチンキャビネットの両側面が腰壁でない通常の壁に隣接する場合には、設置できない問題がある。また、建物の躯体の一部に機構部を組み込むため、施工に手間が掛かるという問題がある。
【０００７】
本発明は、このような問題を解決するためになされたものであり、キッチン作業に必要なものを作業中でも出し入れし易く、しかも、キッチンの壁に対するキッチンキャビネットの設置位置の制限が少ない可動収納部を有するキッチンキャビネットを提供することを目的とする。
【課題を解決するための手段】
【０００８】
本発明は以下のものに関する。
（１）  シンクとコンロとを備えるワークトップと、このワークトップの下に引き出しや開き戸を備えるキッチンキャビネットにおいて、前記キッチンキャビネットの幅方向の何れか一方に前記シンクが、他方に前記コンロが配置され、前記シンク又はコンロよりも前記キッチンキャビネットの側面側に設けられた収納部スペースに、前記キッチンキャビネットの前方側上方へ回動する収納部を有するキッチンキャビネット。
（２）  （１）において、キッチンキャビネットが、キッチンの壁に面する側面を有し、回動する収納部が、前記キッチンキャビネットの前記側面側に設けられた収納部スペースに備えられたキッチンキャビネット。
（３）  （１）又は（２）において、キッチンキャビネットが、キッチンとこれに隣接する居室との通路に面した側面、または、前記通路との間の壁や腰壁に面した側面を有し、回動する収納部が、前記キッチンキャビネットの幅方向において、前記通路とは反対側の側面側に設けられた収納部スペースに備えられたキッチンキャビネット。
（４）  （１）〜（３）の何れかにおいて、回動する収納部が、前板と棚板と背板と落下防止部材とを備え、前記棚板が、水平状態を維持したまま、回動するキッチンキャビネット。
（５）  （１）〜（４）の何れかにおいて、回動する収納部に設けられた落下防止部材の上端が、前記棚板の上面よりも上方に位置するように設けられたキッチンキャビネット。
（６）  （１）〜（５）の何れかにおいて、棚板と落下防止部材とが一体成形されており、前方から見た断面が凹状とされたキッチンキャビネット。
（７）  （１）〜（６）の何れかにおいて、棚板が複数設けられ、収納部が前方側上方へ回動した状態では、前記複数の棚板のうち、最も上方に位置する棚板の上面が、ワークトップと同等以上の高さとなるキッチンキャビネット。
【発明の効果】
【０００９】
本発明によれば、キッチン作業に必要なものを作業中でも出し入れし易く、しかも、キッチンの壁に対するキッチンキャビネットの設置位置の制限が少ない可動収納部を有するキッチンキャビネットを提供することができる。
【発明を実施するための最良の形態】
【００１０】
本発明のキッチンキャビネットの一例を、図１〜図４に示す。図１は収納部３を収納した状態（収納状態）の斜視図、図２は収納部３を回動し、開放した状態（開放状態）の斜視図を示す。図３は収納部３を収納した状態（収納状態）の縦断側面図、図４は収納部３を回動し、開放した状態（開放状態）の縦断側面図を示す。
【００１１】
図１に示すように、本発明のキッチンキャビネット１の基本構成としては、シンク１２やコンロ１３を備えるワークトップ２と、その下に引き出し１４や開き戸（図示しない。）を備え、キッチンキャビネットの幅方向の何れか一方にシンク１２が、他方にコンロ１３が配置されるものが揚げられる。
【００１２】
図１、図２に示すように、シンク１２又はコンロ１３よりもキッチンキャビネット１の側面側の収納部スペース１５に、キッチンキャビネット１の前方側上方へ回動する収納部３を有する。収納部３を設ける収納部スペース１５は、キッチンキャビネット１の両側面側の何れか一方だけに設けられてもよく、両方に設けられてもよい。なお、シンク１２又はコンロ１３よりもキッチンキャビネット１の側面側の収納部スペース１５とは、シンク１２又はコンロ１３よりもキッチンキャビネット１の幅方向の両端に近い位置に設けられた収納部３を収納するためのスペースである。このように、シンク１２やコンロ１３に近い位置に収納部３が配置されているため、シンク１２での洗い物や、コンロでの調理の最中でも、使用する器具や調味料などを、収納部３から出し入れするのが容易になる。
【００１３】
また、回動するとは、引き出し１４の前後方向の動き、特許文献２の可動収納部の上下方向の動きのような直線的な動きとは異なり、キッチンキャビネット１の側面から見たときに、円を描く動きをいう。そして、キッチンキャビネット１の前方側上方へ収納部３が回動するというのは、収納部３が上述したような円運動をすることから、図１、図３に示すような収納状態で、キッチンキャビネット１の内部に収納されていた収納部３が、図２、図４に示すような開放状態まで移行する段階では、収納状態の時よりも、キッチンキャビネット１の前方側を通り、かつ、上方に移動することである。
【００１４】
このように、収納状態（図１、図３）から開放状態（図２、図４）に移行する際に収納部３が回動する方向は、キッチンキャビネット１の前方側上方であり、幅方向ではないため、図２からもわかるように、キッチンキャビネット１の側面の一方又は両方が、キッチンの壁１８に面して設置されている場合でも、収納部３をキッチンキャビネット１の前方側上方へ回動させて使用することができる。特に、キッチンキャビネット１の側面の一方又は両方がキッチンの壁１８にぴったりと隣接するように設置される場合であっても、キッチンキャビネット１に設けられた収納部３の前方側に、収納物３の回動によって干渉するような障害物がない限り、支障なく、収納部３を回動させて使用することができる。このため、キッチンにおけるキッチンキャビネット１の配置の制限が少なく、設置の際の自由度が拡大する。また、キッチンキャビネット１の側面が、キッチンとこれに隣接する居室との通路、あるいは、通路との間の壁や腰壁に面しており、この通路等に面する側面１７側の収納部スペース１５に収納部３が設けられた場合、収納部３を回動させても通路側にはみ出すことがないので通路の行き来を邪魔することがなく、また、通路との間の壁や腰壁に干渉することもない。
【００１５】
図１、図２に示すように、キッチンキャビネット１が、キッチンの壁１８に面する側面１６を有する場合は、回動する収納部３が、キッチンキャビネット１の壁に面する側面１６側の収納部スペース１５に設けられるのが望ましい。この場合でも、収納部３を回動させても、キッチンの壁１８が邪魔になることがない。また、キッチンの壁１８の方向には人が行き来することがなく、また、壁に近いため通常は人が入り込むこともないので、このようにキッチンの壁１８の近くに収納部３が配置されることにより、収納部３を収納状態（図１、図３）から開放状態（図２、図４）に移行する場合や、その反対に、開放状態（図２、図４）から収納状態（図１、図３）に移行する場合でも、人の行き来などに邪魔になることがない。したがって、キッチンでの作業を行っている最中でも、収納部３を収納部スペース１５から回動しては開放状態としたり、あるいは、開放状態としたまま収納部３から収納物を出し入れしても邪魔にならないため、使い勝手のよいキッチンキャビネット１を提供することができる。
【００１６】
図１、図２に示すように、キッチンキャビネット１が、キッチンとこれに隣接する居室との通路に面した側面、または、通路との間の壁や腰壁（図示しない。）に面した側面を有する場合は、回動する収納部３が、キッチンキャビネット１の幅方向において、通路とは反対側の側面側の収納部スペース１５に設けられるのが望ましい。なお、キッチンとこれに隣接する居室との通路に面した側面、及び、通路との間の壁や腰壁に面した側面とを合わせて、通路等に面した側面１７という。これにより、収納部３の回動の動作を行っても、キッチンキャビネット１の前方側の作業スペースと通路側との行き来が妨げられることがなく、使い勝手のよいキッチンキャビネット１を提供することができる。
【００１７】
図３、図４に示すように、回動する収納部３は、前板４と棚板５と背板７と落下防止部材８とを備え、棚板５が、水平状態を維持したまま、回動するようにする。このように、棚板５が、水平状態を維持したまま、回動するようにするのは、例えば、以下の構成によって実現することができる。つまり、収納部３とキッチンキャビネット１の両側面１６、１７の何れか一方とを、２本の同じ長さのアームａ９及びアームｂ１０により連結する。この２本のアームａ９、ｂ１０は、キッチンキャビネット１の両側面１６、１７の何れか一方に固定される支点ａ１９、ｂ２０、及び、収納部３に固定される支点ｃ２１、ｄ２２によって、収納部３とキッチンキャビネット１の両側面１６、１７の何れか一方とを、回動自在に連結している。また、支点ａ１９からｃ２１を結ぶ直線と、ｂ２０からｄ２２を結ぶ直線とが、平行かつ同じ長さとなるように設定される。これにより、収納部３は、各支点ａ１９、ｂ２０、ｃ２１、ｄ２２を回転軸とし、棚板５が水平状態を維持したまま、キッチンキャビネット１の前方側上方へ回動するため、収納部３を回動させても、棚板５が常に水平状態を維持するので、棚板５に載せた収納物（図示しない。）が倒れたり、転がったりするのを抑制できる。なお、図３、図４に示した構成は、一例であり、棚板５が水平状態を維持したまま回動させることが実現できる構成であればよく、上記の構成に限定されない。
【００１８】
また、収納部３の回動の動きを、収納状態（図１、図３）及び開放状態（図２、図４）で保持するため、適宜、回動した位置でアームａ９、ｂ１０を一時的に固定できるロック機構（図示しない。）等を設けるのが望ましい。また、回動開始や停止の際の衝撃を緩衝したり、回動の速さを調節するため、適宜、アームａ９、ｂ１０と、これらのアームを連結したキッチンキャビネット１の両側面１６、１７の何れか一方との間に、ダンパー２３を設けたり、支点に回転式ダンパー（図示しない。）等を設けるのが望ましい。さらに、収納部３を回動する際のアシストとするため、適宜、アームａ９、ｂ１０と、これらのアームを連結したキッチンキャビネット１の両側面１６、１７の何れか一方との間に、コイルばね２４等を設けて、収納部３をキッチンキャビネット１の前方側上方へ回動する際に、その弾性力を利用できるようにするのが望ましい。
【００１９】
前板４は、収納部３をキッチンキャビネット１の前方側に露出しないように覆うものであり、板状で、図１及び図３に示すように、収納部３を収納した状態（収納状態）では、収納部３全体を覆い、かつ、隣接する引き出し１４等の前板と同一面に整合するようにするのが望ましい。これにより、収納状態（図１、図３）においては、従来の収納部３を有しない従来のキッチンキャビネットと同様の外観とすることができる。また、開放状態（図２、図４）でも、キッチンキャビネット１の前方側から直接収納物（図示しない。）が見えにくいため、見栄えがよい。
【００２０】
背板７は、収納部３の背面を覆う部材であり、収納物（図示しない。）が、収納部３の後方に倒れたり、落下したりするのを抑制するものである。このため、板状で、収納物（図示しない。）と３分の１以上の高さとし、棚板５と同等の幅を有するのが望ましい。また、上下方向に、複数の棚板５が設けられる場合は、これらの複数の棚板５に跨って設けられるのが望ましい。これにより、複数の棚板５のうち、どの棚板５に収納物（図示しない。）が収納されていても、収納部３の後方に倒れたり、落下したりするのを抑制することができる。
【００２１】
棚板５は、収納部３において、収納物（図示しない。）を載せて収納するものであり、その幅は６０ｍｍから２００ｍｍ程度が望ましく、さらに望ましくは１５０ｍｍ程度である。これより狭い幅の場合は、収納物が収納できないか、もしくは、十分な収納量を確保できないことが考えられる。また、収納部３からの出し入れは、棚板５の側面側から行うことになるが、これより広い幅の場合は、棚板側面からの収納物の出し入れに支障をきたす。
【００２２】
落下防止部材８は、収納部３の棚板５に載せられた収納物（図示しない。）が、収納部３を回動する際の衝撃等によって、棚板５の側面側に倒れたり、側面側から落下するのを抑制するための部材である。そして、棚板５の側面上方で、かつ、落下防止部材８の上端が、棚板５の上面よりも上方に位置するように設けられる。落下防止部材８上端の棚板５上面からの高さは、２０ｍｍから５０ｍｍ程度が望ましい。これより低い場合は、落下防止の効果が小さく、これより高い場合は、収納物（図示しない。）の出し入れに支障をきたす。これにより、収納物（図示しない。）が、棚板５の側面側に倒れたり、側面側から落下するのを抑制することができ、また、この落下防止部材８の上方側からの収納物（図示しない。）の出し入れのし易さを確保できる。
【００２３】
棚板５と落下防止部材８とが一体成形されており、キッチンキャビネット１の前方から見た断面が凹状とされるのが望ましい。これにより、収納物（図示しない。）から、粉状、液状のものが棚板５上にこぼれても、これらが棚板５からこぼれるのを抑制することができるため、キッチンキャビネット１の収納部スペース１５内の清潔さを保つことができ、また、収納部３の棚板５の清掃も容易である。このため、清潔で清掃し易く、使い勝手のよいキッチンキャビネット１を提供することができる。
【００２４】
図２、図４に示すように、棚板５が複数設けられ、収納部３が前方側上方へ回動した状態（開放状態）では、複数の棚板５のうち、最も上方に位置する棚板５の上面が、ワークトップ２と同等以上の高さとなるのが望ましい。これにより、使用頻度の高い収納物（図示しない。）を、複数の棚板５のうち、最も上方に位置する棚板５に収納しておくことで、この収納物（図示しない。）は、開放状態では、常に、ワークトップ２と同等以上の高さにあることになるため、作業中であっても、出し入れが容易となるので、使い勝手のよいキッチンキャビネット１を提供することができる。
【実施例】
【００２５】
本発明のキッチンキャビネットの実施例を、図１〜図４に示すが、本発明は、本実施例に限定されない。図１は収納部３を収納した状態（収納状態）の斜視図、図２は収納部３を回動し、開放した状態（開放状態）の斜視図を示す。図３は収納部３を収納した状態（収納状態）の縦断側面図、図４は収納部３を回動し、開放した状態（開放状態）の縦断側面図を示す。
【００２６】
図１に示すように、本実施例のキッチンキャビネット１の基本構成としては、シンク１２やコンロ１３を備えるワークトップ２と、その下に引き出し１４や開き戸（図示しない。）を備え、キッチンキャビネットの幅方向の一方にシンク１２が、他方にコンロ１３が配置される。
【００２７】
図１、図２に示すように、キッチンキャビネット１は、キッチンの壁１８に面する側面１６と、通路等に面した側面１７とを有し、シンク１２又はコンロ１３よりもキッチンキャビネット１の側面側の収納部スペース１５に、キッチンキャビネット１の前方側上方へ回動する収納部３を有する。
【００２８】
収納部３は、通路等に面した側面１７側とは反対側の壁に面する側面１６側の収納部スペース１５に設けられる。また、収納部３は、キッチンキャビネット１の側面から見たときに、円を描くように動き、収納状態（図１、図３）から開放状態（図２、図４）まで移行する際に、収納状態の時よりも、キッチンキャビネット１の前方側を通り、かつ、上方に移動する。
【００２９】
図３、図４に示すように、収納部３は、前板４と棚板５と背板７と落下防止部材８とを備え、棚板５が、水平状態を維持したまま回動する。これは、以下の構成によって実現される。つまり、収納部３とキッチンキャビネット１の側面１６とを、２本の同じ長さのアームａ９及びアームｂ１０により連結する。この２本のアームａ９、ｂ１０は、キッチンキャビネット１の側面１６に固定される支点ａ１９、ｂ２０、及び、収納部３に固定される支点ｃ２１、ｄ２２によって、収納部３とキッチンキャビネット１の側面１６とを、回動自在に連結している。また、支点ａ１９からｃ２１を結ぶ直線と、ｂ２０からｄ２２を結ぶ直線とが、平行かつ同じ長さとなるように設定される。
【００３０】
また、収納部３の回動の動きを、収納状態（図１、図３）及び開放状態（図２、図４）で保持するため、回動した位置でアームａ９、ｂ１０を一時的に固定できるロック機構（図示しない。）を設ける。また、回動開始や停止の際の衝撃を緩衝したり、回動の速さを調節するため、アームａ９、ｂ１０と、これらのアームを連結したキッチンキャビネット１の側面１６との間に、ダンパー２３を設ける。さらに、収納部３を回動する際のアシストとするため、アームａ９、ｂ１０と、これらのアームを連結したキッチンキャビネット１の側面１６との間に、コイルばね２４を設けて、収納部３をキッチンキャビネット１の前方側上方へ回動する際に、その弾性力を利用できるようにする。
【００３１】
前板４は、板状で、図１、図３に示すように、収納部３を収納した状態（収納状態）では、収納部３全体を覆い、かつ、隣接する引き出し１４等の前板と同一面に整合するようにする。背板７は、板状で、複数の棚板５に跨って設けられ、最も上方に位置する棚板５の上面からの高さが、５０ｍｍとする。
【００３２】
複数の棚板５は、それぞれ落下防止部材８と一体成形され、キッチンキャビネット１の前方から見た断面が凹状とされる。その幅を１５０ｍｍとする。落下防止部材８は、棚板５の側面上方で、かつ、落下防止部材８の上端が、棚板５の上面よりも上方に位置するように設けられる。落下防止部８上端の棚板５上面からの高さは、２０ｍｍとする。収納部３が前方側上方へ回動した状態（開放状態）では、複数の棚板５のうち、最も上方に位置する棚板５の上面が、ワークトップ２と同等以上の高さとされる。
【図面の簡単な説明】
【００３３】
【図１】本発明の実施例のキッチンキャビネットの収納状態を示す斜視図である。
【図２】本発明の実施例のキッチンキャビネットの開放状態を示す斜視図である。
【図３】本発明の実施例のキッチンキャビネットの収納状態を側面から見た透視図である。
【図４】本発明の実施例のキッチンキャビネットの開放状態を側面から見た透視図である。
【図５】従来例１のキッチンキャビネットの斜視図である。
【図６】従来例２のキッチンキャビネットの斜視図である。
【符号の説明】
【００３４】
１    …  キッチンキャビネット
２    …  ワークトップ
３    …  収納部
４    …  前板
５    …  棚板
７    …  背板
８    …  落下防止部材
９    …  アームａ
１０    …  アームｂ
１１    …  キャビネット
１２    …  シンク
１３    …  コンロ
１４    …  引き出し
１５    …  収納部スペース
１６    …  壁に面した側面
１７    …  通路等に面した側面
１８    …  キッチンの壁
１９    …  支点ａ
２０    …  支点ｂ
２１    …  支点ｃ
２２    …  支点ｄ
２３    …  ダンパー
２４    …  コイルばね
【図１】
2009011635.tif 000003
【図２】
2009011635.tif 000004
【図３】
2009011635.tif 000005
【図４】
2009011635.tif 000006
【図５】
2009011635.tif 000007
【図６】
2009011635.tif 000008